(57)【特許請求の範囲】
【請求項１】
排紙ローラと加圧ローラとの間に搬送されてきた用紙を両ローラの接線方向に排出する排紙装置において、複数の排紙ローラを、用紙の搬送方向に対して直交する用紙の幅方向に沿って同一軸線上に設けるとともに、複数の加圧ローラを、前記用紙の幅方向に沿って設け、前記用紙の幅方向の両端部に位置する前記加圧ローラを、前記排紙ローラの直上に設けるとともに、前記用紙の幅方向の中央部に位置する前記加圧ローラを、前記排紙ローラの上側であって、前記用紙の幅方向の両端部に位置する前記加圧ローラよりも、用紙の搬送方向の上流側に設けることにより、前記用紙の排出される方向が、前記両端部では水平方向で、前記中央部では斜め上方向であり、幅方向に湾曲された状態で前記排紙ローラと前記加圧ローラとの間から排出された用紙の形状を維持する維持手段を備え、前記維持手段は、排出された前記用紙と接触して前記用紙を上方に凸の形状のまま維持する、一対の突出片から構成され、前記突出片の各々は、前記用紙の幅方向の中央部に位置する前記加圧ローラと、前記用紙の幅方向の両端部に位置する前記加圧ローラとの間に対応させて配置されている排紙装置。
【発明の詳細な説明】
【０００１】
【発明の属する技術分野】
本発明は、複写機能付きファクシミリ装置（以下、複合機という）に代表される排紙装置に関し、より詳しくは、読み取り後の原稿又は記録済みの記録紙等の用紙を排出する排紙装置に関するものである。
【０００２】
【従来の技術】
近年、複合機においては、電子写真方式を用いて画像を記録紙に記録する方式が多用されている。この電子写真方式を用いた複合機は、一般的には感光体の表面を一様に帯電させる帯電器、感光体の表面に光を照射して静電潜像を形成する露光器、その静電潜像にトナーケースから供給されるトナーを付着させてトナー画像を形成する現像器、そのトナー画像を記録紙に転写させる転写器、及び転写されたトナー画像を記録紙に定着させる定着器を備えている。そして、感光体への帯電、露光、現像、及び記録紙への転写、定着という一連のプロセスが、電子写真方式における一単位の記録プロセスである。このような記録プロセスを経た記録済みの記録紙は、排紙装置を構成する排紙ローラと加圧ローラとの間を、両ローラの接線方向に通過した後、排出口から排紙トレイ上に排出される。
【０００３】
【発明が解決しようとする課題】
ところで、トナー画像を記録紙に定着させる定着器は、トナー画像が形成された記録紙を記録側から加熱する加熱ローラと、その加熱ローラと対向し、記録紙の反記録側を加圧する加圧ローラとから構成されている。即ち、定着時には、記録紙の記録側のみが加熱ローラで加熱されるため、加熱ローラにより加熱される記録紙の記録側と、加熱されずに加圧ローラで加圧される記録紙の反記録側との間には大きな温度差が生じる。従って、記録紙に含まれる水分の蒸発量が記録側と反記録側とでは異なる。具体的には、加熱ローラで加熱される記録側の方が反記録側よりも水分の蒸発量が多い。また、記録紙とトナーとでは熱収縮率が異なり、具体的にはトナーの方が記録紙よりも熱収縮率が大きい。そのため、トナー画像が形成された記録側の方が、トナー画像が形成されない反記録側よりも熱収縮率が大きくなる。その結果、定着後の記録紙、つまり記録済みの記録紙が記録側を内側にしてカールする。
【０００４】
特に、卓上型の小型複合機では、記録紙カセットから排紙トレイに至る記録紙の搬送通路が、記録紙の搬送方向に沿って小さな曲率半径で湾曲反転するように形成されている。そのため、記録紙が搬送通路を通過することに伴って、記録紙が搬送方向に湾曲され、定着後のカールが助長される要因となっていた。その結果、記録紙が搬送方向にカールしたままの状態で排出口付近の排紙トレイ上に排出される。そして、このようにカールされた記録紙が次々に排出されてカールしたままの状態で排出口付近に堆積すると、やがて後から排出されてきた記録紙のジャムが発生する可能性がある。
【０００５】
そこで、排紙ローラと加圧ローラとの接線方向が斜め上方を向くように両ローラの位置を設定して、記録紙を排出口からできるだけ離間した位置の排紙トレイ上に堆積させる構成が考えられる。しかし、記録紙を読取部と記録部との間の空間に排出する構成の小型複合機の場合には、排出口から斜め上方に向かって排出された記録紙が幅方向の全体に亘って読取部の下面に接触する。そのため、記録紙が接触する部分の面積が広く、記録紙と読取部の下面との間に作用する摩擦力が大きくなってカールが助長される。その結果、排紙トレイ上における記録紙の堆積状態が悪化して、排紙トレイ上に多くの記録紙を堆積できなくなる。特に、排紙トレイ上に堆積可能な記録紙の枚数が元々少ない小型複合機にあっては、カールした記録紙の堆積に伴って、堆積可能な記録紙の枚数がさらに少なくなる。
【０００６】
一方、記録紙がカールした場合であっても多くの記録紙を堆積可能とするために、排紙トレイ上の空間、つまり読取部と記録部との間の空間を広くとる構成は、複合機の大型化を招くため好ましくない。また、一度カールした記録紙のカールを除去して記録紙を排出口から排紙トレイ上に排出するために、記録紙の搬送通路を上記とは反対側にも湾曲反転させる構成が考えられる。しかし、このように記録紙の搬送通路を反対側にも湾曲反転させる構成は、記録紙の搬送通路が長くなって複合機の大型化を招くとともに、記録紙の搬送通路が長くなった分だけ搬送通路の途中で記録紙のジャムが発生する可能性が高くなるため好ましくない。
【０００７】
また、原稿の画像を読み取った後、その読み取り後の原稿を排出する複合機の読取系においては、原稿に光を照射して画像を読み取る方式が多用されている。そのため、光の照射による原稿のカールの程度は、上記のように記録紙を加熱ローラで直接加熱する定着による記録紙のカールよりも小さい。しかし、原稿の搬送通路は、記録紙の搬送通路よりも小さな曲率半径で湾曲反転するように形成されている。そのため、原稿が搬送通路を通過することによるカールの程度は、記録紙が搬送通路を通過することによるカールよりも大きい。その結果、複合機の読取系においても、上記のような複合機の記録系と同様に、原稿の搬送方向に沿ったカールが起こり得る。
【０００８】
本発明は、このような問題点に着目してなされたものであって、その目的は、簡単な構成で用紙のカールを矯正することが可能な排紙装置を提供することにある。
【００１１】
【課題を解決するための手段】
請求項１に記載の発明では、排紙ローラと加圧ローラとの間に搬送されてきた用紙を両ローラの接線方向に排出する排紙装置において、複数の排紙ローラを、用紙の搬送方向に対して直交する用紙の幅方向に沿って同一軸線上に設けるとともに、複数の加圧ローラを、用紙の幅方向に沿って設け、用紙の幅方向の両端部に位置する加圧ローラを、排紙ローラの直上に設けるとともに、用紙の幅方向の中央部に位置する加圧ローラを、排紙ローラの上側であって、用紙の幅方向の両端部に位置する加圧ローラよりも、用紙の搬送方向の上流側に設けることにより、用紙の排出される方向が、両端部では水平方向で、中央部では斜め上方向であり、幅方向に湾曲された状態で排紙ローラと加圧ローラとの間から排出された用紙の形状を維持する維持手段を備え、維持手段は、排出された用紙と接触して用紙を上方に凸の形状のまま維持する、一対の突出片から構成され、突出片の各々は、用紙の幅方向の中央部に位置する加圧ローラと、用紙の幅方向の両端部に位置する加圧ローラとの間に対応させて配置されていることを特徴とする。
【００１２】
従って、請求項１に記載の発明によれば、排紙ローラと加圧ローラとの間に搬送されてきた用紙は、上に凸の形状で排紙ローラと加圧ローラとの接線方向に排出される。そのため、用紙が排紙ローラと加圧ローラとの間に達する前に、何らかの原因によって用紙の搬送方向に沿ってカールしている場合であっても、用紙が幅方向に湾曲されることに伴ってカールが矯正される。また、幅方向に湾曲された状態で排紙ローラと加圧ローラとの間から排出された用紙は、幅方向に湾曲された形状のまま維持手段で維持される。そのため、用紙が搬送方向に沿ってカールしている場合であっても、そのカールを確実に矯正することができる。
【００１５】
【発明の実施の形態】
以下に、本発明に係る排紙装置を複合機に具体化した一実施形態を図面を用いて説明する。尚、図１（ａ）は複合機の斜視図であり、図１（ｂ）は複合機の正面図である。また、図２は複合機上部の正断面図であり、図３は複合機下部の側断面図である。
【００１６】
図１（ａ），（ｂ）に示すように、複合機１には、原稿給送部１０、読取部２０、記録紙供給部３０、記録部４０及び記録紙排出部５０が装設されている。また、読取部２０手前のパネルＰには、操作部６０及び表示部７０が配設されている。
【００１７】
図２に示すように、原稿給送部１０は、原稿Ｇを載置する原稿台１１と、原稿台１１上の原稿Ｇを最上から１枚ずつ分離して読取部２０に供給する分離ローラ１２と、分離された原稿Ｇを給送する複数の給送ローラ１３とを備えている。また、原稿給送部１０は、モータ等の駆動源によって回転駆動される排紙ローラ１４と、その排紙ローラ１４と対向し、読み取り後の原稿Ｇを加圧する加圧ローラ１５と、排紙ローラ１４と加圧ローラ１５との接線方向に排出された原稿Ｇを堆積させる原稿排出台１６とを備えている。さらに、原稿給送部１０は、原稿給送部１０の下方に配設された読取部２０に対して開閉回動可能なカバー１７を備えている。このカバー１７の上部は、原稿排出台１６として機能する。
【００１８】
読取部２０は、静止した状態の原稿Ｇを読み取るためにカバー１７を開けた後で原稿Ｇを載置する透明な原稿載置板２１と、原稿台１１上に載置された原稿Ｇを給送しながら読み取るために原稿Ｇが上面を通過する透光板２２とを備えている。尚、読取部２０は、原稿Ｇに光を照射する光源、原稿Ｇからの反射光の光路を変更するミラー、光源及びミラーを移動させるための移動機構、ミラーからの光を収束させる集光レンズ、集光レンズを通して入射した光に基づき原稿Ｇの画像を読み取る撮像素子（ＣＣＤ）等を備えている（いずれも図示略）。
【００１９】
図３に示すように、記録紙供給部３０は、所定サイズ、例えば最も使用頻度の多いＡ４縦サイズ（幅２１０ｍｍ×長さ２９７ｍｍ）の記録紙Ｋを積層状態で収容する記録紙カセット３１を備えている。また、記録紙供給部３０は、使用者の所望に応じたサイズの記録紙Ｋを載置する手差しトレイ３２を備えている。さらに、記録紙供給部３０は、記録紙カセット３１内の記録紙Ｋ又は手差しトレイ３２上に載置された記録紙Ｋを最上から１枚ずつ分離して記録部４０に供給する給紙ローラ３３を備えている。
【００２０】
記録部４０は、外周面に光導電膜を有する感光体ドラム４１と、その感光体ドラム４１の光導電膜を所定電位に一様帯電させる帯電器４２と、感光体ドラム４１上に静電潜像を形成する露光器４３と、感光体ドラム４１上の静電潜像にトナーを供給して、その静電潜像を現像する現像器４４とを備えている。また、記録部４０は、トナー画像を感光体ドラム４１上から記録紙Ｋ上に転写させる転写器４５と、記録紙Ｋ上のトナー画像を加熱定着させる定着器４６とを備えている。そして、この定着器４６は、トナー画像が形成された記録紙Ｋを記録側から加熱する加熱ローラ４６ａと、その加熱ローラ４６ａと対向し、記録紙Ｋの反記録側を加圧する加圧ローラ４６ｂとから構成されている。
【００２１】
記録紙排出部５０は、モータ等の駆動源によって回転駆動される排紙ローラ５１と、その排紙ローラ５１と対向し、定着後の記録紙Ｋ、つまり記録済みの記録紙Ｋを加圧する加圧ローラ５２とを備えている。また、記録紙排出部５０は、排紙ローラ５１と加圧ローラ５２との接線方向に排出された記録紙Ｋの形状を維持する維持板５３と、排出された記録紙Ｋを堆積させる排紙トレイ５４とを備えている。
【００２２】
次に、記録紙排出部５０の特徴的な構成について説明する。尚、図４（ａ）は排紙ローラ５１及び加圧ローラ５２の配置関係を示す模式平面図であり、図４（ｂ）は排紙ローラ５１及び加圧ローラ５２の配置関係を示す模式側面図であり、図５は維持板５３の斜視図である。
【００２３】
図４（ａ）に示すように、排紙ローラ５１及び加圧ローラ５２は、それぞれ記録紙Ｋの搬送方向に対して直交する記録紙Ｋの幅方向に沿って４個ずつ設けられている。以下、説明の便宜上、記録紙Ｋの幅方向の両端部に位置する排紙ローラ５１には、５１ａ，５１ｂの符号を付し、それら排紙ローラ５１ａ，５１ｂと対向する両端部の加圧ローラ５２には、５２ａ，５２ｂの符号を付してある。また、記録紙Ｋの幅方向の中央部に位置する２個の排紙ローラ５１には、５１ｃ，５１ｄの符号を付し、それら排紙ローラ５１ｃ，５１ｄと対向する中央部の加圧ローラ５２には、５２ｃ，５２ｄの符号を付してある。
【００２４】
図４（ａ），（ｂ）に示すように、排紙ローラ５１ａ〜５１ｄは、記録紙Ｋの幅方向に沿って同一軸線上に設けられている。また、記録紙Ｋの幅方向の両端部に位置する加圧ローラ５２ａ，５２ｂは、排紙ローラ５１ａ，５１ｂの直上に設けられている。さらに、記録紙Ｋの幅方向の中央部に位置する加圧ローラ５２ｃ，５２ｄは、排紙ローラ５１ｃ，５１ｄの上側において、加圧ローラ５２ａ，５２ｂよりも記録紙Ｋの搬送方向の上流側に設けられている。そして、モータによって反時計回りに回転される排紙ローラ５１と、その排紙ローラ５１の回転に伴って従動されて時計回りに回転される加圧ローラ５２との接線方向に記録紙Ｋが排出される。
【００２５】
この記録紙Ｋが排出される方向は、記録紙Ｋの幅方向の両端部では水平方向であり、記録紙Ｋの幅方向の中央部では斜め上方向である。即ち、排紙ローラ５１及び加圧ローラ５２の回転に伴って記録紙Ｋが排出される接線方向（記録紙Ｋの搬送方向の上流側から下流側に向かう接線方向）である。そのため、排紙ローラ５１（５１ａ〜５１ｄ）と加圧ローラ５２（５２ａ〜５２ｄ）との間に搬送されてきた記録紙Ｋは、幅方向に湾曲された状態、具体的には幅方向の中央部が幅方向の両端部よりも上方位置となった状態で両ローラ５１，５２の接線方向に排出される。
【００２６】
ここで、排紙ローラ５１（５１ａ〜５１ｄ）と加圧ローラ５２（５２ａ〜５２ｄ）との間に搬送されてきた記録紙Ｋは、幅方向のセンター基準で排出される。そのため、Ａ４縦サイズ（幅２１０ｍｍ×長さ２９７ｍｍ）の記録紙Ｋが主に使用される複合機１の場合には、記録紙Ｋの幅方向に沿って隣り合う２つの加圧ローラ５２（排紙ローラ５１）の間隔Ｓ１〜Ｓ３を約７０ｍｍにする構成が好ましい。
【００２７】
図５に示すように、維持板５３は、読取部２０の下面に着脱可能に取り付けられた取付部５３ａと、その取付部５３ａから垂下された一対の突出片５３ｂとから構成されている。各突出片５３ｂは、記録紙Ｋの排出方向に沿って延設され、互いに平行である。ここで、記録紙Ｋは、排紙ローラ５１と加圧ローラ５２との間から、幅方向の中央部が斜め上方に向かって排出されるとともに、幅方向の両端部が水平に排出される。その結果、このように幅方向に湾曲された状態で排出された記録紙Ｋの形状が維持板５３で維持される。よって、記録紙Ｋの形状を維持板５３で維持するためには、各突出片５３ｂを加圧ローラ５２ａと加圧ローラ５２ｃとの間及び加圧ローラ５２ｄと加圧ローラ５２ｂとの間に対応させる構成が好ましい。具体的には、Ａ４縦サイズ（幅２１０ｍｍ×長さ２９７ｍｍ）の記録紙Ｋが主に使用される複合機１の場合には、両突出片５３ｂの間隔Ｓ４を約１４０ｍｍにする構成が好ましい。
【００２８】
次に、複合機１において、記録紙カセット３１内の記録紙Ｋ又は手差しトレイ３２上に載置された記録紙Ｋに画データを記録して、その記録紙Ｋを排紙トレイ５４に排出するときの作用について、図６（ａ）〜（ｃ）を参照しながら図２及び図３を用いて説明する。
【００２９】
さて、原稿台１１又は原稿載置板２１上に載置された原稿Ｇを読取部２０で読み取って、その読み取った原稿Ｇの画データを記録紙Ｋにコピーする場合、又は受信画データを記録紙Ｋに記録する場合には、記録紙Ｋが給紙ローラ３３で１枚ずつ分離される。そして、その分離された記録紙Ｋが感光体ドラム４１と転写器４５との間に達すると、記録紙Ｋにトナー画像が転写される。その後、記録紙Ｋが加熱ローラ４６ａと加圧ローラ４６ｂとの間に達すると、記録紙Ｋにトナー画像が定着される。このとき、記録紙Ｋは、記録側のみが加熱される。そのため、記録紙Ｋに含まれる水分の蒸発量が記録側と反記録側とで異なるとともに、記録紙Ｋとトナーとで熱収縮率が異なるため、定着後の記録紙Ｋ、つまり記録済みの記録紙Ｋは、記録側を内側にしてカールする。そして、このようにカールされた記録紙Ｋは、湾曲反転された搬送通路を通過することに伴って、トナー画像が定着された記録側を内側にして搬送方向に沿ったカールが助長される（図６（ａ）参照）。
【００３０】
やがて、このように搬送方向にカールされた記録紙Ｋが排紙ローラ５１と加圧ローラ５２との間に達すると、記録紙Ｋは、幅方向に湾曲された状態、具体的には上に凸の形状で両ローラ５１，５２の接線方向に排出される（図６（ｂ）参照）。そして、記録紙Ｋは、このように上に凸の形状で、排紙ローラ５１と加圧ローラ５２との間から維持板５３に向かって斜め上方に排出される。やがて、維持板５３に達した記録紙Ｋは、両突出片５３ｂに接触し、上に凸の形状のまま維持される（図６（ｃ）参照）。その結果、記録紙Ｋの終端が排紙ローラ５１と加圧ローラ５２との間から排出されると、記録紙Ｋは、上記のように幅方向に湾曲されることに伴って、搬送方向に沿ったカールが矯正された良好な状態で排紙トレイ５４上に堆積される。
【００３１】
以上、詳述したように本実施形態によれば、次のような作用、効果を得ることができる。
（１）排紙ローラ５１ａ〜５１ｄを記録紙Ｋの幅方向に沿って同一軸線上に設け、記録紙Ｋの幅方向の中央部に位置する加圧ローラ５２ｃ，５２ｄを、記録紙Ｋの幅方向の両端部に位置する加圧ローラ５２ａ，５２ｂよりも記録紙Ｋの搬送方向の上流側に設けている。換言すれば、排紙ローラ５１と加圧ローラ５２との接線方向を、記録紙Ｋの幅方向の中央部と記録紙Ｋの幅方向の両端部とで異ならせている。そのため、排紙ローラ５１（５１ａ〜５１ｄ）と加圧ローラ５２（５２ａ〜５２ｄ）との間に搬送されてきた記録紙Ｋは、幅方向の中央部と幅方向の両端部とで互いに異なる接線方向に排出される。即ち、記録紙Ｋは、幅方向に湾曲された状態、具体的には上に凸の形状で排紙ローラ５１と加圧ローラ５２との接線方向に排出される。従って、記録紙Ｋが排紙ローラ５１と加圧ローラ５２との間に達する前に、何らかの原因によって記録紙Ｋの搬送方向に沿ってカールしている場合であっても、記録紙Ｋが幅方向に湾曲されることに伴ってカールを矯正することができる。
【００３２】
（２）上記（１）のように記録紙Ｋのカールを矯正することによって、記録紙Ｋが搬送方向にカールしたままの状態で排紙トレイ５４上に堆積することがない。即ち、定着及び搬送通路の通過に伴って搬送方向にカールされた記録紙Ｋを、排紙ローラ５１及び加圧ローラ５２の配置関係に基づく作用によって搬送方向に対して直交する幅方向に、いわば強制的にカールさせることにより、搬送方向のカールを除去している。そのため、記録紙Ｋをフラットな状態で排紙トレイ５４上に堆積させることができる。従って、後から排出されてくる記録紙Ｋのジャムが発生する可能性はない。
【００３３】
（３）排紙ローラ５１及び加圧ローラ５２の配置関係を変更するのみで記録紙Ｋの搬送方向に沿ったカールを矯正する構成である。そのため、記録紙Ｋが搬送方向にカールした場合であっても多くの記録紙Ｋを堆積可能とするために、排紙トレイ５４上の空間、つまり読取部２０と記録紙供給部３０との間の空間を広くとる構成にする必要がない。また、一度カールした記録紙Ｋのカールを除去して記録紙Ｋを排紙ローラ５１と加圧ローラ５２との間から排紙トレイ５４上に排出するために、記録紙Ｋの搬送通路を反対側にも湾曲反転させる構成にする必要もない。従って、これら複合機１の大型化を招く構成と比較して、簡単な構成で記録紙Ｋの搬送方向のカールを矯正することができることは言うまでもない。換言すれば、記録紙Ｋの搬送方向のカールを矯正しながらにして、複合機１を小型化することができる。
【００３４】
（４）記録紙Ｋが排出される排紙ローラ５１と加圧ローラ５２との接線方向は、記録紙Ｋの幅方向の中央部では斜め上方向であり、記録紙Ｋの幅方向の両端部では水平方向である。即ち、記録紙Ｋは、幅方向に湾曲された状態、具体的には幅方向の中央部が幅方向の両端部よりも上方位置となった上に凸の形状で排出される。そして、このように幅方向に湾曲された状態で排紙ローラ５１と加圧ローラ５２との間から排出された記録紙Ｋは、幅方向の中央部が幅方向の両端部よりも上方位置となった上に凸の形状のまま維持板５３の両突出片５３ｂで維持される。従って、記録紙Ｋが搬送方向に沿ってカールしている場合であっても、そのカールを確実に矯正することができる。
【００３５】
（５）排紙ローラ５１と加圧ローラ５２との間から排出された記録紙Ｋは、排紙トレイ５４に達する前に維持板５３の両突出片５３ｂのみに接触する。そのため、維持板５３を備えていない従来構成と比較して、記録紙Ｋが接触する部分の面積が格段に狭いため、記録紙Ｋと維持板５３との間に作用する摩擦力が小さくなる。従って、その摩擦力が原因となってカールが助長されることはなく、排紙トレイ５４上における記録紙Ｋの堆積状態を良好にでき、排紙トレイ５４上に多くの記録紙Ｋを堆積させることができる。
【００３６】
尚、前記実施形態は、次のように変更して具体化することも可能である。
・記録紙Ｋの幅方向の両端部に位置する加圧ローラ５２ａ，５２ｂを省略した構成としてもよい。このように構成すれば、排紙ローラ５１と加圧ローラ５２との接線方向は、記録紙Ｋの幅方向の中央部では斜め上方向であるため、排紙ローラ５１と加圧ローラ５２との間から記録紙Ｋが排出されるときには、記録紙Ｋの幅方向の中央部が斜め上方向に沿って排出される。一方、記録紙Ｋの幅方向の両端部には加圧ローラ５２ａ，５２ｂを設けていないため、排紙ローラ５１と加圧ローラ５２との間から記録紙Ｋが排出されるときには、記録紙Ｋの幅方向の両端部が自重によって垂れ下がる。換言すれば、排紙ローラ５１と加圧ローラ５２との間から記録紙Ｋが排出されるときには、幅方向に湾曲された状態、具体的には幅方向の中央部が幅方向の両端部よりも上方位置となった上に凸の形状で排出される。従って、記録紙Ｋが上に凸の形状で幅方向に湾曲されることに伴って、搬送方向に沿った記録紙Ｋのカールを矯正することができる。
【００３７】
・図７（ａ），（ｂ）に示すように、記録紙Ｋの幅方向の中央部に位置する加圧ローラ５２ｃ，５２ｄを、記録紙Ｋの幅方向の両端部に位置する加圧ローラ５２ａ，５２ｂよりも記録紙Ｋの搬送方向の下流側に設けた構成としてもよい。そして、図８に示すように、維持板５３の突出片５３ｂを記録紙Ｋの幅方向の中央部のみに設ける構成としてもよい。このように構成すれば、排紙ローラ５１と加圧ローラ５２との接線方向は、記録紙Ｋの幅方向の両端部では水平方向であり、記録紙Ｋの幅方向の中央部では斜め下方向である。即ち、記録紙Ｋは、幅方向に湾曲された状態、具体的には幅方向の中央部が幅方向の両端部よりも下方位置となった下に凸の形状で排出される。そして、このように幅方向に湾曲された状態で排紙ローラ５１と加圧ローラ５２との間から排出された記録紙Ｋは、幅方向の中央部が幅方向の両端部よりも下方位置となった下に凸の形状のまま維持板５３の突出片５３ｂで維持される。従って、記録紙Ｋが搬送方向に沿ってカールしている場合であっても、そのカールを確実に矯正することができる。尚、下に凸の形状で幅方向に湾曲された記録紙Ｋを、その形状のまま排紙トレイ５４上に堆積させるために、排紙トレイ５４の上面を記録紙Ｋの幅方向に湾曲形成する構成としてもよい。
【００３８】
・記録紙Ｋの幅方向の中央部に位置する加圧ローラ５２ｃ，５２ｄを、排紙ローラ５１ｃ，５１ｄの直上よりも記録紙Ｋの搬送方向の上流側に設けるとともに、記録紙Ｋの幅方向の両端部に位置する加圧ローラ５２ａ，５２ｂを、排紙ローラ５１ａ，５１ｂの直上よりも記録紙Ｋの搬送方向の下流側に設ける構成としてもよい。このように構成すれば、排紙ローラ５１と加圧ローラ５２との接線方向は、記録紙Ｋの幅方向の中央部では斜め上方向であり、記録紙Ｋの幅方向の両端部では斜め下方向である。そのため、記録紙Ｋは、上に凸の形状で幅方向に湾曲されて排出されるため、搬送方向に沿った記録紙Ｋのカールを矯正することができる。
【００３９】
・記録紙Ｋの幅方向の中央部に位置する加圧ローラ５２ｃ，５２ｄを、排紙ローラ５１ｃ，５１ｄの直上よりも記録紙Ｋの搬送方向の下流側に設けるとともに、記録紙Ｋの幅方向の両端部に位置する加圧ローラ５２ａ，５２ｂを、排紙ローラ５１ａ，５１ｂの直上よりも記録紙Ｋの搬送方向の上流側に設ける構成としてもよい。このように構成すれば、排紙ローラ５１と加圧ローラ５２との接線方向は、記録紙Ｋの幅方向の中央部では斜め下方向であり、記録紙Ｋの幅方向の両端部では斜め上方向である。そのため、記録紙Ｋは、下に凸の形状で幅方向に湾曲されて排出されるため、搬送方向に沿った記録紙Ｋのカールを矯正することができる。
【００４０】
・前記実施形態では、図３に示すように、記録紙Ｋを搬送通路で湾曲反転させる前に記録紙Ｋにトナー画像を形成する構成としたが、図９に示すように、記録紙Ｋを搬送通路で湾曲反転させた後で記録紙Ｋにトナー画像を形成する構成としてもよい。このように構成すれば、記録紙Ｋにトナー画像を形成する前では、記録紙Ｋは、搬送通路を通過することに伴って、後からトナー画像が形成される記録側を外側にして搬送方向に沿ってカールする。そして、このようにカールされた記録紙Ｋにトナー画像が形成された後、その記録紙Ｋが加熱ローラ４６ａと加圧ローラ４６ｂとの間に達すると、記録紙Ｋにトナー画像が定着される。
【００４１】
すると、予めトナー画像の形成前に記録側を外側にして搬送方向に沿ってカールされた記録紙Ｋには、定着後において記録側を内側にして搬送方向に沿ってカールさせる力が作用する。従って、定着後の記録紙Ｋ、つまり記録済みの記録紙Ｋの搬送方向に沿ったカールを矯正することができる。しかも、排紙ローラ５１及び加圧ローラ５２の配置関係（前記実施形態と同様）による記録紙Ｋの搬送方向に沿ったカールの矯正、維持板５３によるカールの矯正維持との相乗効果によって、記録紙Ｋの搬送方向に沿ったカールを確実に矯正することができる。
【００４２】
・排紙ローラ５１及び加圧ローラ５２の配置関係を上下逆にした構成としてもよい。即ち、排紙ローラ５１ａ〜５１ｄを記録紙Ｋの幅方向に沿って同一軸線上に設けた構成において、記録紙Ｋの幅方向の両端部に位置する加圧ローラ５２ａ，５２ｂと、記録紙Ｋの幅方向の中央部に位置する加圧ローラ５２ｃ，５２ｄとを、記録紙Ｋの幅方向に沿って互いに異なる軸線上に設けた構成であればよい。
【００４３】
・記録紙Ｋの幅方向の両端部に位置する排紙ローラ５１ａ，５１ｂと、記録紙Ｋの幅方向の中央部に位置する排紙ローラ５１ｃ，５１とを、記録紙Ｋの幅方向に沿って互いに異なる軸線上に設けた構成としてもよい。この場合、記録紙Ｋの幅方向の両端部と記録紙Ｋの幅方向の中央部とで、排紙ローラ５１と加圧ローラ５２との接線方向が異なるように、加圧ローラ５２ａ〜５２ｄを排紙ローラ５１ａ〜５１ｄに対向配置させる。
【００４４】
・読み取り後の原稿Ｇを排出する排紙装置、具体的には原稿給送部１０の排紙ローラ１４及び加圧ローラ１５の配置関係に適用してもよい。この場合、図２に２点鎖線で示すように、原稿台１１の下面に維持板５３を設けた構成としてもよい。このように構成すれば、簡単な構成で原稿Ｇのカールを矯正することができる。
【００４５】
・画像を記録紙Ｋに記録した後、その記録済みの記録紙Ｋを排出するプリンタ又は原稿Ｇの画像を読み取った後、その読み取り後の原稿Ｇを排出するスキャナに具体化してもよい。
【００４６】
さらに、上記実施形態より把握される技術的思想について、以下にそれらの効果と共に記載する。
〔１〕排紙ローラと加圧ローラとの間に搬送されてきた用紙を両ローラの接線方向に排出する排紙装置において、用紙の幅方向の中央部に位置する排紙ローラのみに対応して加圧ローラを設け、その加圧ローラを排紙ローラの直上よりも用紙の搬送方向の上流側に設けた排紙装置。このように構成すれば、排紙ローラと加圧ローラとの接線方向は、用紙の幅方向の中央部では斜め上方向であるため、排紙ローラと加圧ローラとの間から用紙が排出されるときには、用紙の幅方向の中央部が斜め上方向に沿って排出される。一方、用紙の幅方向の両端部には加圧ローラを設けていないため、排紙ローラと加圧ローラとの間から用紙が排出されるときには、用紙の幅方向の両端部が自重によって垂れ下がる。換言すれば、排紙ローラと加圧ローラとの間から用紙が排出されるときには、幅方向に湾曲された状態、具体的には幅方向の中央部が幅方向の両端部よりも上方位置となった上に凸の形状で排出される。従って、用紙が上に凸の形状で幅方向に湾曲されることに伴って、搬送方向に沿った用紙のカールを矯正することができる。
【００４９】
〔２〕画像を記録紙に記録する記録手段と、その記録手段で画像を記録済みの記録紙を排出する請求項１、又は上記〔１〕に記載の排紙装置とを備えた画像形成装置。このように構成すれば、簡単な構成で記録紙のカールを矯正することができる。
【００５０】
〔３〕原稿の画像を読み取る読取手段と、その読取手段で画像を読み取った後の原稿を排出する請求項１、又は上記〔１〕に記載の排紙装置とを備えた画像読取装置。このように構成すれば、簡単な構成で原稿のカールを矯正することができる。
【００５１】
【発明の効果】
本発明は、以上のように構成されているため、次のような効果を奏する。
請求項１に記載の発明によれば、簡単な構成で用紙のカールを確実に矯正することができる。
【図面の簡単な説明】
【図１】（ａ）本実施形態の複合機の斜視図、（ｂ）複合機の正面図。
【図２】複合機上部の正断面図。
【図３】複合機下部の側断面図。
【図４】（ａ）排紙ローラ及び加圧ローラの配置関係を示す模式平面図。
（ｂ）排紙ローラ及び加圧ローラの配置関係を示す模式側面図。
【図５】維持板の斜視図。
【図６】（ａ）搬送方向にカールされた記録紙の形状を示す側面図。
（ｂ）幅方向に湾曲された記録紙の形状を示す正面図。
（ｃ）維持板で維持された記録紙の形状を示す正面図。
【図７】（ａ）別の実施形態の排紙ローラ及び加圧ローラの配置関係を示す模式平面図。
（ｂ）別の実施形態の排紙ローラ及び加圧ローラの配置関係を示す模式側面図。
【図８】別の実施形態の維持板の斜視図。
【図９】別の実施形態の複合機下部の側断面図。
【符号の説明】
１…画像形成装置及び画像読取装置としての複合機、１０…排紙装置としての原稿給送部、１４…排紙ローラ、１５…加圧ローラ、２０…読取手段としての読取部、４０…記録手段としての記録部、５０…排紙装置としての記録紙排出部、５１…排紙ローラ、５２…加圧ローラ、５３…維持手段としての維持板、Ｇ…用紙としての原稿、Ｋ…用紙としての記録紙。
【図１】
0003981756.tif 000002
【図２】
0003981756.tif 000003
【図３】
0003981756.tif 000004
【図４】
0003981756.tif 000005
【図５】
0003981756.tif 000006
【図６】
0003981756.tif 000007
【図７】
0003981756.tif 000008
【図８】
0003981756.tif 000009
【図９】
0003981756.tif 000010